(57)【要約】【課題】配管接続部材としての機能を有する温水器アダプタを電気温水器に小さな力で簡単に固定でき且つシールも確実に行うことができる温水器アダプタの接続構造を提供する。【解決手段】給水通路３４と出湯通路４６とを末端開口が電気温水器１０の入水開口１４と出湯開口１６との間隔に一致するように温水器アダプタ２０に一体に形成する。そして給水通路３４の末端開口と入水開口１４とを、また出湯通路４６の末端開口と出湯開口１６とを合わせる状態に温水器アダプタ２０を電気温水器１０に当接させて固定するとともに、固定に際して給水通路３４の末端開口及び入水開口１４を取り囲む環状の第１シール部材６４と、出湯通路４６の末端開口及び出湯開口１６を取り囲む環状の第２シール部材６６とで、温水器アダプタ２０と電気温水器１０との間の水の通路と湯の通路とをそれぞれ独立に水密にシールする。【選択図】　　　　図１
2004085051.tif 000002
【特許請求の範囲】
【請求項１】
給水通路と出湯通路とを内部通路として有し、温水器に装着されて該給水通路からの給水を該温水器の入水開口より温水器内部に流入させる一方、該温水器内の湯を該温水器の出湯開口から該出湯通路へと流入させた上、外部に流出させる温水器アダプタを該温水器に接続するための接続構造であって前記給水通路と出湯通路とを、それぞれの末端開口が前記温水器の入水開口と出湯開口との間隔に一致するように前記温水器アダプタに一体に形成して、該給水通路の末端開口と前記入水開口とを、また前記出湯通路の末端開口と前記出湯開口とを合わせる状態に該温水器アダプタを該温水器に当接させて固定するとともに該固定に際し、前記給水通路の末端開口及び入水開口を取り囲むように配置した環状の第１シール部材と、前記出湯通路の末端開口及び出湯開口を取り囲むように配置した環状の第２シール部材とで、該温水器アダプタと温水器との間の水の通路と湯の通路とをそれぞれ独立に水密にシールするようになしたことを特徴とする温水器アダプタの接続構造。
【請求項２】
請求項１において、前記温水器アダプタが湯水混合弁付のものであることを特徴とする温水器アダプタの接続構造。
【請求項３】
請求項１，２の何れかにおいて、前記温水器アダプタが１次側の給水の圧力に対し２次側の圧力を減圧する減圧弁付のものであることを特徴とする温水器アダプタの接続構造。
【発明の詳細な説明】
【０００１】
【発明の属する技術分野】
この発明は電気温水器等の温水器に給水を行い、また温水器から湯を取り出すために温水器に装着される温水器アダプタの温水器への接続構造に関する。
【０００２】
【従来の技術及び発明が解決しようとする課題】
図４に示しているように、給湯機器２００で沸かした温水（湯）を湯水混合弁２０２から出湯するに際して、湯水混合弁２０２が給湯機器２００から遠く離れた位置にあると、湯水混合弁２０２を開操作しても直ぐには温水が出て来ず、先ず長い配管２０４内部の冷えた水が湯水混合弁２０２から吐水される。
【０００３】
例えば浴室で湯水混合弁２０２を開操作して使用する温水は所定温度以上（通常４０℃程度以上）であることが必要であり、それ以下の温度の温水は利用されることはない。
従って湯水混合弁２０２から当初の間出て来る冷たい水は利用できないものであって、これは死に水（そのまま捨てられる水）となってしまう。
【０００４】
また湯水混合弁２０２の使用者は、求める温度の温水が湯水混合弁２０２から出て来るまでの間、長い時間待たなければならないといった問題がある。
そこで近年、上記多量の無駄な死に水の発生と長い湯待ち時間の問題を解決するため、湯水混合弁の近くに即時給湯装置としての電気温水器を設けるといったことが行われている。
【０００５】
この電気温水器は、最終の吐水口を閉じておくとその内部に水道の給水圧が働くことから、通常耐圧性のステンレス等金属製の缶体で温水タンクが構成される。
この電気温水器には、内部に給水を行うための給水配管、温水器からの湯を取り出すための出湯配管を接続することが必要で、従来にあってはこれら給水配管及び出湯配管を溶接により電気温水器に接続し、その固定とシールとを併せて行っていた。
【０００６】
しかしながらこのように給水配管と出湯配管とをそれぞれ別々に電気温水器に対し溶接接合するとなると、コストが高いものとなってしまう。
【０００７】
またこのように給水配管，出湯配管のそれぞれの配管を別々にして電気温水器に接続すると、それぞれの施工のためにスペースが必要となり、電気温水器を含む給湯のシステム全体が大きくなってしまう。
【０００８】
従来、給水配管の接続口と給湯配管の接続口とを一体に有する配管接続部材、即ち給水通路と出湯通路とを内部通路として一体に有する配管接続部材を、電気温水器に接続するようにしたものも下記文献１，文献２に開示されている。
【０００９】
通常、この配管接続部材を電気温水器に取り付けるに際し、電気温水器に取付孔を設けておいてそこに配管接続部材を取り付け、そしてその取付孔周りと配管接続部材の全外周との間に、単一の大きな環状のシール部材を介在させて、これにより両者の間のシールを行うこととなる。
この場合必然的にシール面積が広くなり、従って非常に強い締付力でそのシール部材を押し潰すようにして配管接続部材を電気温水器に対し固定することが必要となる。
【００１０】
またそのようにしたとしても圧力の作用によってシール部分でシール漏れを起す恐れがあり、シールの信頼性の点で、更にはまた配管接続部材の取付け易さの点で問題が残る。
【００１１】
またこのような配管接続部材を電気温水器に接続した場合においても、従来別途に設けられる湯水混合弁と配管接続部材とを配管を介して接続することが必要で、そのための配管施工や接続作業に多大の手間を要し、また電気温水器からの給湯システムの構成が複雑化し、大型化するといった問題が生ずる。
［文献１］　特許第３０７９８７４号
［文献２］　特開平１１−２４５９２９号
【００１２】
【課題を解決するための手段】
本発明の温水器アダプタの接続構造はこのような課題を解決するために案出されたものである。
而して請求項１のものは、給水通路と出湯通路とを内部通路として有し、温水器に装着されて該給水通路からの給水を該温水器の入水開口より温水器内部に流入させる一方、該温水器内の湯を該温水器の出湯開口から該出湯通路へと流入させた上、外部に流出させる温水器アダプタを該温水器に接続するための接続構造であって、前記給水通路と出湯通路とを、それぞれの末端開口が前記温水器の入水開口と出湯開口との間隔に一致するように前記温水器アダプタに一体に形成して、該給水通路の末端開口と前記入水開口とを、また前記出湯通路の末端開口と前記出湯開口とを合わせる状態に該温水器アダプタを該温水器に当接させて固定するとともに該固定に際し、前記給水通路の末端開口及び入水開口を取り囲むように配置した環状の第１シール部材と、前記出湯通路の末端開口及び出湯開口を取り囲むように配置した環状の第２シール部材とで、該温水器アダプタと温水器との間の水の通路と湯の通路とをそれぞれ独立に水密にシールするようになしたことを特徴とする。
【００１３】
請求項２のものは、請求項１において、前記温水器アダプタが湯水混合弁付のものであることを特徴とする。
【００１４】
請求項３のものは、請求項１，２の何れかにおいて、前記温水器アダプタが１次側の給水の圧力に対し２次側の圧力を減圧する減圧弁付のものであることを特徴とする。
【００１５】
【作用及び発明の効果】
以上のように本発明は、内部通路としての給水通路と出湯通路とを備えた、配管接続部材としての機能を有する温水器アダプタを温水器に接続固定するようになし、そして給水通路の末端開口及び温水器の入水開口を取り囲む環状の第１シール部材と、出湯通路の末端開口及び出湯開口を取り囲む環状の第２シール部材とで、アダプタと温水器との間の水の通路と湯の通路とをそれぞれ独立に水密にシールするようになしたもので、本発明によれば、温水器アダプタと温水器との間で水の通路と湯の通路とをシール部材でシールするに際し、そのシール面積を可及的に少なくすることができ（第１シール部材，第２シール部材として小さなシール部材を用いることができる）、従って小さな固定力で充分にそれら第１シール部材及び第２シール部材を充分に圧縮させて、それらによるシールを確実に行わせることができる。
また小さな固定力で温水器アダプタを温水器に接続固定できることから、固定作業も容易に行うことができる。
【００１６】
また本発明によれば、単一の温水アダプタを温水器に接続固定するだけで、温水器への水の給水用の通路と、温水器からの湯の取出通路とを簡単に形成することができる。
【００１７】
本発明においては、上記温水器アダプタを湯水混合弁付のものとして構成しておくことができる。
このようにしておけば、温水器アダプタを温水器に接続固定することで、同時にそこに湯水混合弁を備え付けることができ、従って従来のように湯水混合弁を別途に設置したり、更にはまたその湯水混合弁と温水器との間に配管施工してそれらを接続するといった作業を不要化でき、電気温水器を含む給湯システムを簡素化できるとともに、全体のシステムを小型化でき、また給湯システムの設置施工を容易に行えるようになる。
【００１８】
ここで湯水混合弁は、混合水の温度を感知して自動的に弁体を移動させ、混合水温度を設定温度に自動調節するサーモスタット式のものとなしておくことができる。
【００１９】
本発明ではまた、温水器アダプタを減圧弁付のものとして構成しておくことができる。
このようにすれば、減圧弁を更に別途に設ける場合に較べて給湯システムの構成を更に簡素化でき、またその設置施工作業を更に簡略化することができる。
【００２０】
【実施例】
次に本発明の実施例を図面に基づいて詳しく説明する。
図１において、１０は電気温水器（電気温水器１０は図示の関係上実際よりも小さく画かれている）で、缶体１１内部に電気ヒータ１２が配設されている。
この電気温水器１０は、電気ヒータ１２による加熱作用によって缶体１１内部に湯を貯える。
【００２１】
電気温水器１０の上部には入水開口１４，出湯開口１６が設けられており、この入水開口１４から水が内部に供給され、また出湯開口１６から内部の湯が外部へ取り出されるようになっている。
ここで入水開口１４から流入した水は、パイプ１８により案内されて缶体１１の底部近くから内部に流入する。
【００２２】
この電気温水器１０の上面には湯水混合弁（ここではサーモスタット式の湯水混合弁）２１付の温水器アダプタ（以下単にアダプタとする）２０が直結されている。
このアダプタ２０はケーシング２２を有しており、そのケーシング２２から図１（イ）に示すように一対の固定フランジ２４が延び出している。
固定フランジ２４には固定孔２６が形成されており、これら固定孔２６においてアダプタ２０が電気温水器１０の上面にねじ等の締結具にて下向きに接続固定されている。
【００２３】
アダプタ２０は、軸方向の一端部に給水配管からの給水を流入させる給水流入口２８を有しており、また反対側の端部に混合水を流出させる流出口３０を有している。
尚これら給水流入口２８と流出口３０とには外周面に雄ねじ３２が設けてあって配管と接続可能とされている。
【００２４】
ケーシング２２の内部には、給水流入口２８に続く給水通路３４と、水及び湯を混合する混合室３６とが形成されており、それらが仕切壁３８にて仕切られている。
仕切壁３８には水流入口４０が形成されており、給水通路３４を流通して来た水が、この水流入口４０から混合室３６へと流入可能とされている。
【００２５】
上記給水通路３４は、給水を電気温水器１０側にバイパスさせる分岐水路４２を有しており、給水通路３４を送られて来た給水が、この分岐水路４２を通じ電気温水器１０の入水開口１４からその内部へ流入するようになっている。
詳しくは、分岐水路４２からの水がパイプ１８を通じて電気温水器１０の底部近くへと押し出されるようになっている。
【００２６】
アダプタ２０にはまた、混合室３６に連通して湯流入口４４が、更にこの湯流入口４４に続いて出湯通路４６がその上流側にケーシング２２を貫通して形成されている。
電気温水器１０内部の湯は、その上面の出湯開口１６からこの出湯通路４６を通じ、湯流入口４４から混合室３６内へと流入する。
【００２７】
混合室３６内部には弁体５２が配設されている。
弁体５２は、図中左右方向の移動によって仕切壁３８に形成された水流入口４０の開度を変化させる大径の弁部５４と、弁部５４から図中右向きに延び出した弁軸５６とを有している。
弁軸５６の弁部５４とは反対側の端部には板状の摺動部５８が設けられており、この摺動部５８が混合室３６内面を図中左右方向に摺動可能とされている。
尚この摺動部５８には連通孔５９が形成されており、水流入口４０と湯流入口４４とから流入した水と湯との混合水が、この連通孔５９を通じて流出口３０へと流通可能とされている。
【００２８】
混合室３６には、感温体としての形状記憶合金からなる感温ばね６０が配設されている。
この感温ばね６０は、その一端を弁体５２における摺動部５８に当接させており、弁体５２を図中右向きに、即ち弁体５２を開弁方向に付勢している。
【００２９】
この感温ばね６０は、混合室３６内の混合水温度に応じて付勢力を変化させる。具体的には混合水温度が高いときにはその温度に応じてばね力が強くなって、弁体５２に対する開弁方向の付勢力を強くする。
また逆に混合水温度が低くなればばね力が低くなって、弁体５２に対する開弁方向の付勢力を弱くする。
混合室３６には、この感温ばね６０と対をなすようにしてバイアスばね６２が配設されており、その付勢力を弁体５２に対し感温ばね６０を収縮させる方向、即ち弁体５２を閉弁させる方向に及ぼしている。
【００３０】
上記のように本例の湯水混合弁２１の場合、弁体５２は湯流入口４４を常時開放状態に保持し、軸方向移動によって水流入口４０のみ開度を変化させる。
従って本例の湯水混合弁２１においては弁体５２が閉弁状態、即ち水流入口４０を閉じた状態で、給水配管からの給水が給水流入口２８内に流れ込むと、その給水全体が分岐水路４２によって電気温水器１０側にバイパスする。即ちその全体が電気温水器１０内部に流入する。
【００３１】
そして電気温水器１０内部の湯が、そこに流入した水の量だけ電気温水器１０から押し出されて湯流入口４４から混合室３６に流入し、そのまま混合室３６を流通して流出口３０から流出する。即ち弁体５２が水流入口４０を完全に閉じた状態の下では、湯水混合弁２１から湯のみが流出する。
【００３２】
また一方弁体５２が全開状態、つまり弁部５４が水流入口４０を完全に開いた状態の下では、給水流入口２８から流入した給水は、そのほぼ全体が水流入口４０を通じて混合室３６内に流入し、そのまま混合室３６を経て流出口３０から流出する。
【００３３】
これは、水流入口４０の口径が分岐水路４２の口径に対し大きくされていることに加え、分岐水路４２を通じて電気温水器１０内部に流入する水の流れに対し、電気温水器１０内部で湯を押し出すための抵抗が大きく働いているためである。
即ち水流入口４０が全開状態の下では、給水通路３４に流れ込んだ給水のほぼ全体が、それら口径の相違と電気温水器１０内の湯の抵抗とによって、水流入口４０から混合室３６へと入り込む。
【００３４】
弁体５２の開度は、感温ばね６０の付勢力とバイアスばね６２の付勢力とによって制御される。
即ち混合水温度が設定温度よりも高ければ、感温ばね６０の付勢力がバイアスばね６２の付勢力に打ち勝って、弁体５２が図中右方向に押し出され、これにより水流入口４０の開度が広く変化して混合室３６への水の流入量が増大する。
【００３５】
また一方混合水温度が設定温度よりも低ければ、感温ばね６０の付勢力が小さくなって相対的にバイアスばね６２の付勢力が大となり、これにより弁体５２が図中左方向に移動して水流入口４０の開度が小さく変化し、水流入口４０を通じて混合室３６内に流入する水の量が減少する。
【００３６】
而して本例においては、それら感温ばね６０及びバイアスばね６２による付勢力を適当に調整しておくことによって、弁体５２による水流入口４０の開度を適当に設定し、流出口３０から常に所望温度の混合水を流出させることができる。尚、流出口３０はケーシング２２の本体とは別体とされていて、そのケーシング２２の本体に対しねじ結合されている。
【００３７】
本例においては、給水通路３４と出湯通路４６とが、それぞれの末端開口を温水器１０の入水開口１４と出湯開口１６との間隔に一致させるようにしてアダプタ２０に一体に形成してある。
そして給水通路３４の末端開口、具体的には分岐水路４２の末端開口と入水開口１４とを合せ、更に出湯通路４６の末端開口と出湯開口とを合せる状態で、アダプタ２０が電気温水器１０上面に着座させられ、その状態で電気温水器１０に固定されている。
【００３８】
而してアダプタ２０と電気温水器１０との間の水の通路が、分岐水路４２の末端開口及び入水開口１４を取り囲む環状の弾性の第１シール部材（Ｏリング）６４によって水密にシールされ、またアダプタ２０と電気温水器１０との間の湯の通路が、出湯通路４６の末端開口と出湯開口１６とを取り囲む環状の弾性の第２シール部材（Ｏリング）６６にて水密にシールされている。
【００３９】
ここで第１シール部材６４及び第２シール部材６６は、それぞれケーシング２２に形成された環状の凹部６８，７０内部に嵌め込まれており、且つ上記締結具による締結力に基づいて図中上下方向に弾性圧縮した状態で、上記の水の通路と湯の通路とをシールしている。
【００４０】
以上のように本例によれば、アダプタ２０と電気温水器１０との間で水の通路と湯の通路とをシール部材でシールするに際し、第１シール部材６４及び第２シール部材６６として小さなシール部材を用いることができる。
従って小さな固定力で充分にそれら第１シール部材６４及び第２シール部材６６を充分に圧縮させて、それらによるシールを確実に行わせることができる。
また小さな固定力でアダプタ２０を電気温水器１０に接続固定できることから、固定作業も容易に行うことができる。
【００４１】
また本例によれば、単一のアダプタ２０を電気温水器１０に接続固定するだけで、電気温水器１０への水の給水通路３４と、電気温水器１０からの出湯通路４６とを簡単に形成することができる。
【００４２】
更に本例によれば、アダプタ２０を電気温水器１０に接続固定することで、同時にそこに湯水混合弁２１を備え付けることができ、従って従来のように湯水混合弁を別途に設置したり、更には別途に設置した湯水混合弁と電気温水器１０との間に配管施工してそれらを接続するといった作業を不要化でき、電気温水器１０を含む給湯システムを簡素化できるとともに、全体のシステムを小型化でき、また給湯システムの設置施工を容易に行えるようになる。
【００４３】
図２は本発明の他の実施例を示したものである。
同図において２１はアダプタ２０に備えられた湯水混合弁、７２は１次側の給水の圧力に対し２次側の圧力を減圧する減圧弁である。
即ちこの例のアダプタ２０は、湯水混合弁２１と減圧弁７２とを一体に備えたものとして構成されている。
図２において、７４は減圧弁７２のケーシング、２２は湯水混合弁２１のケーシングであり、それぞれアダプタ２０のケーシングとして一体を成している。
【００４４】
アダプタ２０は給水流入口２８と、連結部７６と、混合水の流出口３０とを有しており、その給水流入口２８において給水配管（図示せず）に接続され、また連結部７６において電気温水器１０に直結されている。
また湯水混合弁２１で水と湯とが所定比率で混合された混合水が流出口３０から出湯配管へと流出する。
３４は給水流入口２８に続いて設けられた給水通路で、給水配管からの水は、この給水通路３４を通じて湯水混合弁２１における後述の水流入口４０に導かれ、更にその水流入口４０を通じて湯水混合弁２１の内部へと流入する。
【００４５】
この給水通路３４上に設けられた減圧弁７２は、弁体７８を有しており、その弁体７８が弁座８０に着座し又は離間することによって水路を開閉する。
弁体７８には、図中下向きに延び出す弁軸８２が一体に構成されている。
この弁軸８２の端部にはピストン８４が一体移動状態で固定されていて、そのピストン８４がシリンダ８６の内面に摺動可能且つ水密に嵌合されている。
ここでピストン８４はスプリング８８によって図中下向き、即ち弁体７８を開く方向に付勢されている。
【００４６】
この減圧弁７２は次のように働く。
即ち２次側の圧力が低い間は弁体７８が開状態を保持し、給水流入口２８からの水は給水通路３４の一部を構成する減圧弁水路７９を通じて下流側へと流通する。
一方２次側の圧力が一定圧に達すると、ここにおいてピストン８４がスプリング８８の付勢力に抗して図中上向きに押し上げられ、ここにおいて弁体７８がピストン８４と一体に移動して弁座８０に着座し、水路を閉鎖する。
【００４７】
上記湯水混合弁２１はこの例ではサーモスタット式のもので、水流入口４０と湯流入口４４及び弁体５２を有している。
水流入口４０と湯流入口４４とから流入した水と湯とは、混合室３６に流入してそこで混合され、その混合水が開口部４５から図中右向きに流出する。
そして弁体５２は、図中左右の位置移動によって水流入口４０と湯流入口４４との開度を変化させ、以って水流入口４０からの水の流入量と湯流入口４４からの湯の流入量との比率を変化させる。
【００４８】
混合室３６内には、形状記憶合金から成る感温ばね６０が配設されており、その感温ばね６０によって弁体５２が図中左向きに付勢されている。
この感温ばね６０は、混合室３６内の混合水温度に応じて図中左向きの付勢力を変化させる。
【００４９】
即ち混合水温度が設定温度よりも高くなると、付勢力を増大させて弁体５２を図中左向きに微小移動させ、水流入口４０の開度を広くする一方、湯流入口４４の開度を狭くする。即ち水の流入量を多く、湯の流入量を少なくそれぞれ変化させる。
また一方、混合水温度が設定温度よりも低いときには、弁体５２に対する付勢力を小さくして弁体５２を図中右向きに微小移動させ、水流入口４０の開度を狭くする一方、湯流入口４４の開度を広くする。即ち水の流入量を少なく、湯の流入量を多くそれぞれ変化させる。
【００５０】
９２は回転操作軸であって端部に回転ハンドル９４が取り付けられている。
回転操作軸９２は円筒部９６を有している。円筒部９６の内周面には雌ねじが形成されており、そこに駆動部材９８の外周面の雄ねじが螺合されている。
【００５１】
駆動部材９８は、第１バイアスばね１００，第２バイアスばね１０２の付勢力を変化させることによって、弁体５２の位置を図中左右方向にシフトさせる。詳しくは、回転操作軸９２の回転によって駆動部材９８を押込む方向（図中右方向）に移動させると、第１バイアスばね１００及び第２バイアスばね１０２が圧縮されて付勢力を高め、ここにおいて感温ばね６０と第１バイアスばね１００及び第２バイアスばね１０２による付勢力との均衡が破れて、即ち第１バイアスばね１００及び第２バイアスばね１０２による付勢力が感温ばね６０の付勢力に打ち勝って、弁体５２を釣合い位置から図中右向きにシフトさせる。
【００５２】
弁体５２は、そのシフト位置において感温ばね６０による感温動作に基づいて水流入口４０，湯流入口４４の開度を変化させ、水と湯との混合比率を調節する。
【００５３】
上記給水通路３４は、湯水混合弁２１のケーシング２２に周方向に沿って形成された分岐水路４２を有している。
この分岐水路４２は減圧弁水路７９、即ち給水通路３４の水を電気温水器１０側にバイパスさせるものである。
具体的には、この分岐水路４２からの水がパイプ１８を通じて電気温水器１０の底部近くに供給される。
【００５４】
この例のアダプタ２０にはまた、連結部７６の内部に出湯通路４６が設けられており、電気温水器１０から押し出された湯がこの出湯通路４６を通じて、湯水混合弁２１の湯流入口４４に導かれ、更にその湯流入口４４から混合室３６に流入する。
【００５５】
かかる本例のアダプタ２０の場合、給水配管から給水流入口２８に流れ込んだ水の一部が、湯水混合弁２１の水流入口４０を通じて混合室３６に流入する。
また他の一部が、湯水混合弁２１の内部水路をバイパスして分岐水路４２を通じ直接電気温水器１０内部へと流入する。
分岐水路４２からの水が電気温水器１０内部へと流入すると、そこに貯えられている湯が押し上げられて、アダプタ２０の出湯通路４６を通じ湯水混合弁２１の湯流入口４４から混合室３６に流入する。
【００５６】
そして水流入口４０から流入した水と、湯流入口４４から流入した湯とが混合室３６で混合されて、流出口３０から出湯配管（図示せず）側へと流出する。
【００５７】
尚、本例においてもアダプタ２０と電気温水器１０との接続固定構造は基本的に第１の実施例と同様である。従って符号のみを示して詳しい説明は省略する。
【００５８】
図３は本発明の更に他の実施例を示している。
この例のアダプタ２０は、上記実施例と異なって湯水混合弁，減圧弁を備えない形態のもので、板状の基部１０４と、一対の円筒部１０６，１０８を有しており、その基部１０４を電気温水器１０における缶体１１の上面、詳しくは缶体１１の本体と別体に構成された蓋体１１０の上面に重ねた状態で、固定具１１２により電気温水器１０に固定されている。
【００５９】
ここで固定具１１２は、基部１０４の外周部と蓋体１１０の外周部及び缶体１１における本体のフランジ部１１４を挟持する状態にそれらを固定している。
尚蓋体１１０は、缶体１１における本体に対し溶接接合されている。
上記一対の円筒部１０６及び１０８は、配管接続部を成すもので外周面に雄ねじ３２が形成されている。
【００６０】
円筒部１０６と１０８の端部は、それぞれ給水口２８，出湯口１１６とされており、またそれぞれの内部には給水通路３４と出湯通路４６とが形成されている。
そしてこの給水通路３４の末端開口と電気温水器１０における入水開口１４との間が、上記実施例と同様にして弾性を有する環状の第１シール部材（Ｏリング）６４にて水密にシールされている。
同様に出湯通路４６の末端開口と電気温水器１０における出湯開口１６との間が、弾性を有する環状の第２シール部材（Ｏリング）６６にて水密にシールされている。
【００６１】
ここで第１シール部材６４及び第２シール部材６６が、アダプタ２０側に形成された環状の凹部６８，７０内に嵌め込まれている点で上記実施例と同様である。
【００６２】
同図において、１１８は電気温水器１０内部の湯温を検知するサーミスタで電気温水器１０の上面、詳しくは蓋体１１０に形成された貫通の挿入孔１２０を貫通して缶体１１内部に突き出している。
【００６３】
このサーミスタ１１８にはフランジ状の押え１２２が形成されており、その押え１２２が、弾性を有する環状の第３シール部材１２４を下向きに押え付けることによって、その第３シール部材１２４により挿通孔１２０が水密にシールされている。
第３シール部材１２４もまた、アダプタ２０側に形成された環状の凹部１２６内に嵌め込まれている。
【００６４】
以上本発明の実施例を詳述したがこれはあくまで一例示であり本発明はその主旨を逸脱しない範囲において種々変更を加えた形態で構成可能である。
【図面の簡単な説明】
【図１】本発明の一実施例である温水器アダプタを電気温水器とともに示す図である。
【図２】本発明の他の実施例を電気温水器とともに示す図である。
【図３】本発明の更に他の実施例を電気温水器とともに示す図である。
【図４】従来の給湯機器と湯水混合弁との関係を示す図である。
【符号の説明】
１０　電気温水器
１４　入水開口
１６　出湯開口
２０　温水器アダプタ
２１　湯水混合弁
３４　給水通路
４６　出湯通路
６４　第１シール部材
６６　第２シール部材
７２　減圧弁
【図１】
2004085051.tif 000003
【図２】
2004085051.tif 000004
【図３】
2004085051.tif 000005
【図４】
2004085051.tif 000006